(57)【要約】【課題】コンテンツデータを蓄積したコンテンツサーバに蓄積されたコンテンツデータを十分に楽しむことができない。【解決手段】  コンテンツサーバは、コンテンツプレーヤの記憶部に記憶されているコンテンツデータを削除する制御をし、大容量記憶部に蓄積されているコンテンツデータからコンテンツプレーヤで直前に削除されたコンテンツデータ以外のコンテンツデータを予め設定した条件に基づいて検索し、検索した結果のコンテンツデータをコンテンツプレーヤに送信し、オーディオプレーヤは、コンテンツサーバの制御に基づいて記憶部に記憶しているコンテンツデータを削除し、コンテンツサーバから送信されたコンテンツデータを記憶し再生すること。【選択図】      図１
2007096397.tif 000002
【特許請求の範囲】
【請求項１】
記憶部にコンテンツデータを記憶し再生するコンテンツプレーヤと、通信手段を介して前記コンテンツプレーヤを制御可能でありコンテンツデータを大容量記憶部に蓄積するコンテンツサーバとを備えるコンテンツシステムにおいて、前記コンテンツサーバは、前記コンテンツプレーヤの前記記憶部に記憶されているコンテンツデータを削除する制御をし、前記大容量記憶部に蓄積されているコンテンツデータから前記コンテンツプレーヤで直前に削除されたコンテンツデータ以外のコンテンツデータを予め設定した条件に基づいて検索し、検索した結果のコンテンツデータを前記コンテンツプレーヤに送信し、前記コンテンツプレーヤは、前記コンテンツサーバの制御に基づいて前記記憶部に記憶しているコンテンツデータを削除し、前記コンテンツサーバから送信されたコンテンツデータを記憶し再生することを特徴とするコンテンツシステム。
【請求項２】
請求項１記載のコンテンツシステムにおいて、前記コンテンツサーバにおける予め定めた条件は、前記コンテンツサーバの前記大容量記憶部に記憶された順番が新しいコンテンツデータ、または、前記コンテンツプレーヤで直前に削除したコンテンツデータに関する情報と前記コンテンツサーバの前記大容量記憶部に記憶されたコンテンツデータに関する情報の一部が一致したコンテンツデータ、または、前記コンテンツプレーヤで直前に削除したコンテンツデータに関する情報と前記コンテンツサーバの前記大容量記憶部に記憶されたコンテンツデータに関する情報が一致しないコンテンツデータのいずれかであることを特徴とするコンテンツシステム。
【請求項３】
請求項１記載のコンテンツシステムにおいて、前記コンテンツサーバにおける予め定めた条件は、前記コンテンツサーバの前記大容量記憶部に記憶された順番が新しいコンテンツデータ、または、前記コンテンツプレーヤで直前に削除したコンテンツデータに関する情報と前記コンテンツサーバの前記大容量記憶部に記憶されたコンテンツデータに関する情報の一部が一致したコンテンツデータ、または、前記コンテンツプレーヤで直前に削除したコンテンツデータに関する情報と前記コンテンツサーバの前記大容量記憶部に記憶されたコンテンツデータに関する情報が一致しないコンテンツデータのうちの２以上のコンテンツデータであり、当該コンテンツデータに優先順位を割り当てることを特徴とするコンテンツシステム。
【請求項４】
コンテンツデータを記憶する記憶部を有するコンテンツプレーヤと通信手段を用いて接続し、前記コンテンツプレーヤを制御することが可能なコンテンツサーバにおいて、前記コンテンツプレーヤと通信手段を介してデータの送受信を行う外部機器インターフェースと、複数のコンテンツデータを記憶する大容量記憶部と、当該コンテンツサーバを制御すると共に前記外部機器インターフェースを介して前記コンテンツプレーヤの前記記憶部に記憶されているコンテンツデータの削除及び当該コンテンツプレーヤにコンテンツデータを送信し前記記憶部にコンテンツデータを記憶させる制御を行う制御部とを備え、前記制御部は、前記コンテンツプレーヤの前記記憶部に記憶されているコンテンツデータに関するファイル情報及び前記大容量記憶部に記憶されているコンテンツデータに関するファイル情報を取得し、前記２つのファイル情報を比較して前記コンテンツプレーヤに記憶されているコンテンツデータ以外のコンテンツデータを予め定めた条件に基づいて検索し、前記コンテンツプレーヤの記憶部に記憶されているコンテンツデータを削除すると共に前記大容量記憶部から前記検索したコンテンツデータを抽出し当該コンテンツデータを前記コンテンツプレーヤに送信して前記記憶部に記憶させる制御を行うことを特徴とするコンテンツサーバ。
【請求項５】
請求項４記載のコンテンツサーバにおいて、前記予め定めた条件は、前記コンテンツサーバの前記大容量記憶部に記憶された順番が新しいコンテンツデータ、または、前記コンテンツプレーヤで直前に削除したコンテンツデータに関する情報と前記コンテンツサーバの前記大容量記憶部に記憶されたコンテンツデータに関する情報の一部が一致したコンテンツデータ、または、前記コンテンツプレーヤで直前に削除したコンテンツデータに関する情報と前記コンテンツサーバの前記大容量記憶部に記憶されたコンテンツデータに関する情報が一致しないコンテンツデータのいずれかであることを特徴とするコンテンツサーバ。
【請求項６】
請求項４記載のコンテンツサーバにおいて、前記予め定めた条件は、前記コンテンツサーバの前記大容量記憶部に記憶された順番が新しいコンテンツデータ、または、前記コンテンツプレーヤで直前に削除したコンテンツデータに関する情報と前記コンテンツサーバの前記大容量記憶部に記憶されたコンテンツデータに関する情報の一部が一致したコンテンツデータ、または、前記コンテンツプレーヤで直前に削除したコンテンツデータに関する情報と前記コンテンツサーバの前記大容量記憶部に記憶されたコンテンツデータに関する情報が一致しないコンテンツデータのうちの２以上のコンテンツデータであり、当該コンテンツデータに優先順位を割り当てることを特徴とするコンテンツサーバ。
【発明の詳細な説明】
【技術分野】
【０００１】
本発明は、ビデオ信号やオーディオ信号等のコンテンツデータを蓄積するコンテンツサーバと前記コンテンツサーバからコンテンツデータを受信し再生するコンテンツプレーヤとを備えるコンテンツシステムに関する。
【背景技術】
【０００２】
近年、ビデオ信号やオーディオ信号等のコンテンツデータをコンテンツサーバに蓄積し、コンテンツサーバに蓄積されているコンテンツデータを通信手段を用いてコンテンツプレーヤに送信し、コンテンツプレーヤにおいてコンテンツデータを再生するコンテンツシステムが一般的なものとなっている。
【０００３】
このようなコンテンツシステムにおいては、コンテンツプレーヤの記憶媒体の容量は、コンテンツサーバに装備される記憶媒体の容量に比べ、小さいのが一般的である。このため、当然、コンテンツサーバに記録されているコンテンツデータを全てコンテンツプレーヤに記録することができないため、ユーザによるコンテンツデータを入れ換える作業が必要になる。
【０００４】
受信装置に、記録したいコンテンツデータのタグ情報とユーザのパーソナリティとの一致度、および、コンテンツデータのタグ情報に含まれるコンテンツデータのキーワードとユーザの視聴履歴から求めたキーワードとの一致度を元に、受信装置に記録されたコンテンツデータを入れ換えることが可能な蓄積型情報放送システムと及び受信端末装置が特許文献１に開示されている。
【０００５】
【特許文献１】特開平１１-１９６３８９
【発明の開示】
【発明が解決しようとする課題】
【０００６】
しかし、特許文献１に開示されているシステムでは、算出される優先度に変化がなければコンテンツデータの入れ替えが行われない。また、ユーザのパーソナリティと一致しないコンテンツデータまたはコンテンツデータのタグ情報に含まれるコンテンツデータのキーワードとユーザの視聴履歴から求めたキーワードが一致しないコンテンツデータを受信装置に記録することができないため、コンテンツデータを蓄積したコンテンツサーバに蓄積されたコンテンツデータを十分に楽しむことができない。
【０００７】
本発明は、ユーザがコンテンツデータの入れ替えを希望した時にコンテンツデータの入れ替えが可能であり、ユーザのパーソナリティを設定・保持する手段とユーザの視聴履歴を保持する手段がなくても、コンテンツプレーヤに記録されていたコンテンツデータ以外のコンテンツデータをコンテンツサーバから受信し、コンテンツサーバに蓄積されているコンテンツデータを十分に楽しむことができるコンテンツサーバ及びコンテンツシステムを提供することを目的とする。
【課題を解決するための手段】
【０００８】
本発明は、記憶部にコンテンツデータを記憶し再生するコンテンツプレーヤと、通信手段を介して前記コンテンツプレーヤを制御可能でありコンテンツデータを大容量記憶部に蓄積するコンテンツサーバとを備えるコンテンツシステムにおいて、前記コンテンツサーバは、前記コンテンツプレーヤの前記記憶部に記憶されているコンテンツデータを削除する制御をし、前記大容量記憶部に蓄積されているコンテンツデータから前記コンテンツプレーヤで直前に削除されたコンテンツデータ以外のコンテンツデータを予め設定した条件に基づいて検索し、検索した結果のコンテンツデータを前記コンテンツプレーヤに送信し、前記コンテンツプレーヤは、前記コンテンツサーバの制御に基づいて前記記憶部に記憶しているコンテンツデータを削除し、前記コンテンツサーバから送信されたコンテンツデータを記憶し再生することを特徴とする。
【０００９】
本発明は、コンテンツデータを記憶する記憶部を有するコンテンツプレーヤと通信手段を用いて接続し、前記コンテンツプレーヤを制御することが可能なコンテンツサーバにおいて、前記コンテンツプレーヤと通信手段を介してデータの送受信を行う外部機器インターフェースと、複数のコンテンツデータを記憶する大容量記憶部と、当該コンテンツサーバを制御すると共に前記外部機器インターフェースを介して前記コンテンツプレーヤの前記記憶部に記憶されているコンテンツデータの削除及び当該コンテンツプレーヤにコンテンツデータを送信し前記記憶部にコンテンツデータを記憶させる制御を行う制御部とを備え、前記制御部は、前記コンテンツプレーヤの前記記憶部に記憶されているコンテンツデータに関するファイル情報を取得し、前記大容量記憶部に記憶されているコンテンツデータに関するファイル情報を取得し、前記２つのファイル情報を比較して前記コンテンツプレーヤに記憶されているコンテンツデータ以外のコンテンツデータを予め定めた条件に基づいて検索し、前記コンテンツプレーヤの記憶部に記憶されているコンテンツデータを削除すると共に前記大容量記憶部から前記検索したコンテンツデータを抽出し当該コンテンツデータを前記コンテンツプレーヤに送信して前記記憶部に記憶させる制御を行うことを特徴とする。
【００１０】
本発明は、前述したコンテンツサーバにおいて、前記予め定めた条件は、前記コンテンツサーバの前記大容量記憶部に記憶された順番が新しいコンテンツデータ、または、前記コンテンツプレーヤで直前に削除したコンテンツデータに関する情報と前記コンテンツサーバの前記大容量記憶部に記憶されたコンテンツデータに関する情報の一部が一致したコンテンツデータ、または、前記コンテンツプレーヤで直前に削除したコンテンツデータに関する情報と前記コンテンツサーバの前記大容量記憶部に記憶されたコンテンツデータに関する情報が一致しないコンテンツデータのいずれかであることを特徴とする。
【００１１】
本発明は、前述したコンテンツサーバにおいて、前記予め定めた条件は、前記コンテンツサーバの前記大容量記憶部に記憶された順番が新しいコンテンツデータ、または、前記コンテンツプレーヤで直前に削除したコンテンツデータに関する情報と前記コンテンツサーバの前記大容量記憶部に記憶されたコンテンツデータに関する情報の一部が一致したコンテンツデータ、または、前記コンテンツプレーヤで直前に削除したコンテンツデータに関する情報と前記コンテンツサーバの前記大容量記憶部に記憶されたコンテンツデータに関する情報が一致しないコンテンツデータのうちの２以上のコンテンツデータであり、当該コンテンツデータに優先順位を割り当てることを特徴とする。
【発明の効果】
【００１２】
本発明によれば、ユーザがコンテンツデータの入れ替えを希望した時にコンテンツデータの入れ替えが可能である。また、ユーザのパーソナリティを設定、保持する手段とユーザの視聴履歴を保持する手段がなくても、コンテンツプレーヤに記録されていたコンテンツデータ以外のコンテンツデータを予め定めた条件に基づいてコンテンツサーバから受信し、コンテンツプレーヤにおいてコンテンツサーバに蓄積されたコンテンツデータを十分に楽しむことができる。
【発明を実施するための最良の形態】
【００１３】
本発明の一実施形態として、オーディオ信号を蓄積するオーディオサーバ及びこのオーディオサーバとＵＳＢ（Universal Serial Bus）ケーブルで接続された携帯型オーディオプレーヤ（以下、オーディオプレーヤ）からなるコンテンツシステムについて説明する。
【００１４】
オーディオプレーヤは、オーディオサーバのＵＳＢ端子に接続され、オーディオサーバに記録されているオーディオデータ（以下、「コンテンツデータ」という。）を、ＵＳＢケーブルを介して受信し、受信したコンテンツデータを記憶する。その後、オーディオサーバとの接続を切り離せば、このオーディオプレーヤでオーディオサーバに記憶されていたコンテンツデータと同じコンテンツデータを聴取し、音楽を楽しめるものである。
【００１５】
本実施形態では、オーディオプレーヤに記憶されているコンテンツデータを削除した際に、オーディオプレーヤに記憶されていたコンテンツデータ以外のコンテンツデータを予め定めた条件に基づいてオーディオサーバから受信し、オーディオプレーヤに記憶し、記憶したコンテンツデータを再生するコンテンツシステムについて説明する。
【００１６】
図１は、本発明のコンテンツシステムの一実施形態の概略構成を示すブロック図である。
コンテンツシステムは、例えば１００ＧＢの記憶容量を有するオーディオサーバ１００と、例えば２５６ＭＢの記憶容量を有するオーディオプレーヤ２００とからなる。オーディオサーバ１００とオーディオプレーヤ２００は、ＵＳＢケーブル３００により接続され、ＵＳＢケーブル３００を介してコンテンツデータ等の送受信を行う。
【００１７】
オーディオサーバ１００は、コンテンツデータが記憶される記憶媒体であるハードディスク（ＨＤ：Hard Disc）１１０と、ＵＳＢケーブル３００によりオーディオプレーヤ２００などの外部機器が接続される外部機器インターフェイス１１１と、制御部１１２と、ユーザからの指示を受け付けるユーザインターフェイス１１３から構成される。
【００１８】
制御部１１２は、ＨＤ１１０に記憶されたコンテンツデータに関するファイル情報及び外部機器インターフェース１１１に接続されたオーディオプレーヤ２００に記憶されてコンテンツデータに関するファイル情報を取得するファイル情報取得部１１４と、ＨＤ１１０に記憶されたコンテンツデータに関するファイル情報及び外部機器インターフェース１１１に接続されたオーディオプレーヤ２００に記憶されてコンテンツデータに関するファイル情報を記憶するファイル記憶部１１５と、オーディオプレーヤ２００に転送し記憶されるコンテンツデータを選択する制御を行うファイルフィルタリング部１１６と、ＨＤ１１０や外部機器インターフェース１１１に接続されたオーディオプレーヤ２００の記憶容量を検出する記憶容量検出部１１７を備える。
【００１９】
オーディオプレーヤ２００は、オーディオサーバ１００から送信されてきたコンテンツデータを記憶する記憶部２１０と、ＵＳＢケーブル３００によりオーディオサーバ１００と接続される外部機器インターフェイス２１１と、制御部２１２と、ユーザからの指示を受け付けるユーザインターフェイス２１３から構成される。
【００２０】
制御部２１２は、オーディオサーバ１００からの要求により記憶部２１０に記憶されたコンテンツデータに関するファイル情報等を送信する制御、ユーザインターフェース２１３からの入力に基づいて記憶部２１０に記憶されたコンテンツデータを読み出し再生する制御、コンテンツサーバ１００からの制御により記憶部２１０に記憶されたコンテンツデータの削除或いは新たなコンテンツデータの記憶の制御を行う。
【００２１】
図２は、本実施形態のオーディオサーバにおける動作を示すフローチャートである。
オーディオプレーヤ２００がオーディオサーバ１００に接続されると（ステップＳ１）、オーディオサーバ１００は、ＵＳＢケーブル３００を介して接続されたオーディオプレーヤ２００がコンテンツデータの転送などに対応可能か否か、すなわち、コンテンツサーバ１００からの指示信号に基づいてファイル情報の送信、コンテンツデータの読み出し、コンテンツデータの削除などを実行することが可能か否かを確認する（ステップＳ２）。オーディオプレーヤ２００がコンテンツデータの転送などに対応可能か否かの確認は、オーディオサーバ１００がオーディオプレーヤ２００から機器情報を取得し、取得した情報に基づいて確認する。
【００２２】
オーディオプレーヤ２００がコンテンツデータの転送などに対応可能な機器である場合、ユーザにオーディオプレーヤ２００のコンテンツデータの入れ換えが可能であることを通知する。これによりユーザは、ユーザインターフェイス１１３により、オーディオプレーヤ２００のコンテンツデータのアップデート（コンテンツデータの入れ替え）指示を行う（ステップＳ３）。
【００２３】
オーディオサーバ１００は、接続されているオーディオプレーヤ２００に現在記憶されているコンテンツデータを示すファイル情報を取得し（ステップＳ４）、また、オーディオサーバ１００のＨＤに記憶されいるコンテンツデータのファイル情報を取得する（ステップＳ５）。
【００２４】
その後、オーディオサーバ１００は、オーディオプレーヤ２００から取得したファイル情報に基づいてオーディオプレーヤ２００に記憶されているコンテンツデータと同一のコンテンツデータがオーディオサーバ１００に存在するか否かを確認する（ステップＳ６）。
【００２５】
オーディオサーバ１００にオーディオプレーヤ２００に記憶されているコンテンツデータと同一のコンテンツデータが存在する場合、オーディオサーバ１００は、オーディオプレーヤ２００に記憶部２１０に記憶されている当該同一のコンテンツデータを削除するよう指示信号を出力する（ステップＳ７）。オーディオプレーヤ２００は、オーディオサーバ１００からの指示信号に基づいて、記憶部２１０に記憶しているオーディオサーバ１００に記憶されているコンテンツデータと同一のコンテンツデータを削除する。
【００２６】
オーディオサーバ２００は、オーディオプレーヤ２００がコンテンツデータを削除した場合或いはオーディオプレーヤ２００の記憶部２１０にコンテンツサーバ１００のＨＤ１１０に記憶されているコンテンツデータと同一のコンテンツデータがない場合、予め定めた条件に基づいてオーディオサーバ１００のＨＤ１１０に記憶されているコンテンツデータの検索を開始する（ステップＳ８）。
【００２７】
ここで、本実施例において、予め定めた条件は、３つの条件を備え、それらの条件は、優先順位をもつものとして説明する。本実施形態において、予め定めた条件は、第１の優先順位の条件として、オーディオサーバ１００に記憶された日時が新しいコンテンツデータであり、第２の優先順位の条件として、直前に削除したコンテンツデータと同じ演奏者で、かつ、当該コンテンツデータのアルバムと異なるアルバムのコンテンツデータであり、第２の優先順位の条件として、直前に削除したコンテンツデータと異なる演奏者であり、且つ、同じジャンルのアルバムのコンテンツデータである。
【００２８】
本実施例において、予め定めた条件は、３つの条件を備え、それらの条件は、優先順位をもつものとするが、前記３つの条件のうちの一つの条件でもよい。また、前記３つの条件のうちの２つの条件或いは他の条件も加え４つ以上の条件としてもよい。なお、２以上の条件がある場合には、優先順位を付けるもとする。
【００２９】
図２において、オーディオサーバ１００では、予め定めた条件として、最初に、優先順位１の条件が設定される。オーディオサーバ１００は、優先順位１の条件に基づいて、オーディオプレーヤ２００から直前に削除したコンテンツデータと異なるコンテンツデータであり、かつ、オーディオサーバ１００に記録された日時が新しいアルバムのコンテンツデータを検索する。
【００３０】
そして、当該コンテンツデータの検索が最後の条件の検索か否か（全ての条件での検索が終了したか否か）を確認する（ステップＳ９）。当該検索により全ての条件での検索が終了した場合は、オーディオプレーヤへのコンテンツデータのアップデートを終了する。
【００３１】
オーディオサーバ１００は、当該コンテンツデータの検索が最後の条件の検索か否かを確認し、まだ優先順位１の条件での検索であるため処理を継続する。優先順位１でのコンテンツデータの検索の結果、該当するコンテンツデータがオーディオプレーヤ２００に記憶されていたか否かを確認する（ステップＳ１０）。当該コンテンツデータが、オーディオプレーヤ２００にコンテンツデータの削除以前に記憶されていた場合（すなわち、当該コンテンツデータが、直前に削除したコンテンツデータと同一である場合）、次の優先順位の条件を設定し（ステップＳ１４）、設定された条件に基づいてコンテンツデータの検索を行う（ステップＳ８）。
【００３２】
後述するステップＳ１１又はＳ１３において、次の優先順位の条件が設定された場合、優先順位２の条件では、オーディオプレーヤ２００から直前に削除したコンテンツデータと同じ演奏者で、かつ、当該コンテンツデータのアルバムと異なるアルバムのコンテンツデータを検索し、優先順位３の条件では、オーディオプレーヤ２００から直前に削除したコンテンツデータと異なる演奏者で、かつ、当該コンテンツデータのジャンルと同じジャンルのアルバムのコンテンツデータが検索される。
【００３３】
優先順位１の条件でのコンテンツデータの検索の結果、該当するコンテンツデータがオーディオプレーヤ２００に記憶されていない場合、オーディオサーバ１００は、オーディオプレーヤの記憶部２１０の記憶容量が当該コンテンツデータを記憶するための記憶容量として十分が否か確認する（ステップＳ１１）。オーディオプレーヤの記憶部２１０の記憶容量が当該コンテンツデータを記録するための記憶容量として十分でない場合、オーディオサーバ１００は、次の優先順位の条件を設定し（ステップＳ１４）、設定された条件に基づいてコンテンツデータの検索を行う（ステップＳ８）。
【００３４】
オーディオプレーヤ２００の記憶部２１０の空き記憶容量が、検索した結果のコンテンツデータの容量に十分な容量である場合、コンテンツサーバ１００は、当該コンテンツデータをオーディオプレーヤ２００に転送し、オーディオプレーヤ２００は、オーディオサーバ１００から転送されてきたコンテンツデータを記憶部２１０に記憶する（ステップＳ１２）。
【００３５】
すなわち、優先順位１の条件の場合、オーディオサーバ１００は、オーディオプレーヤ２００から直前に削除したコンテンツデータと異なるコンテンツデータであり、かつ、オーディオサーバ１００に記録された日時が新しいアルバムのコンテンツデータが、１アルバム分、オーディオプレーヤ２００に転送され、記憶部２１０に記憶される。
【００３６】
また、ステップＳ１４において、優先順位２の条件の場合、オーディオプレーヤ２００から直前に削除したコンテンツデータと同じ演奏者で、かつ、当該コンテンツデータのアルバムと異なるアルバムのコンテンツデータが、２アルバム分、オーディオプレーヤ２００に転送され、記憶部２１０に記憶される。優先順位３の条件の場合、オーディオプレーヤ２００から直前に削除したコンテンツデータと異なる演奏者で、かつ、当該コンテンツデータのジャンルと同じジャンルのアルバムのコンテンツデータが、１アルバム分、オーディオプレーヤ２００に転送され、記憶部２１０に記憶される。
【００３７】
オーディオサーバ１００は、オーディオプレーヤ２００へのコンテンツデータの記憶が終了した後、オーデイオプレーヤ２００の記憶部２１０の空き記憶容量を確認し（ステップＳ１３）、空き容量がある場合には、次の優先順位の条件を設定し（ステップＳ１４）、設定された条件に基づいてコンテンツデータの検索を行う（ステップＳ８）。空き容量がない場合には、オーディオプレーヤ２００へのコンテンツデータのアップデートを終了する。
【００３８】
図３は、本実施例にオーディオサーバにおける予め定めた条件（優先順位）の設定画面を示す図である。
ユーザは、前述した３つの条件の優先順位を自由に組み替えることができ、また、その優先順位に従ってオーディオプレーヤ２００に記憶するアルバム数を個別に設定することが可能である。ユーザはリモコンの十字キー、決定キー、数字キーを使用して変更したい部分を選択する。もし優先順位を変更したい場合は、優先順位が示されている名前部分を選択し、下部の優先順位アップボタンまたは優先順位ダウンボタンを十字キーで選択し、決定ボタンを押す。また各優先順位のアルバム数を設定したい場合は、右側の数値部分を選択し、アップボタンまたはダウンボタンを選択し、決定キーを押すかまたは、数字キーを押すことで変更が可能である。優先順位の設定が終了したら、「ＯＫ」を選択すると、優先度が確定となる。
【００３９】
本実施形態では、予め定めた条件のうち、優先順位１の条件の場合は、複数のコンテンツデータからなるコンテンツグループ（アルバム）を単位として記憶するが、１つのコンテンツデータであってもよい。また、優先順位２の条件では、直前に削除したコンテンツデータと同じアーティストで、かつ、当該コンテンツデータのアルバムと異なるアルバムのコンテンツデータを記憶するようにしたが、直前に削除したコンテンツデータと同じジャンルで、かつ、当該コンテンツデータのアルバムと異なるアルバムのコンテンツデータを記憶するようにしてもよい。
【００４０】
また、本実施例において、オーディオサーバ１００は、ユーザに優先順位の設定を行うユーザインターフェイス１１３を備えたオーディオサーバ１００について説明したが、予め優先順位の設定を保存し、予め定めた時間毎或いはユーザからのアップデータの指示のみによりコンテンツデータを入れ替えるようにしてもよい。この場合、ユーザがオーディオサーバ１００のユーザインターフェイス１１３により優先順位の設定を行う必要がなく、操作が簡易になる。
【００４１】
図４は、本実施形態のオーディオサーバ及びオーディオプレーヤに記憶されているコンテンツデータの一例を説明する図である。
図５は、本実施形態のオーディオプレーヤにおいてアップデータ後に記憶されているコンテンツデータの一例を説明する図である。
まず、オーディオサーバ１００には、図４（ａ）に示すように演奏者Ａ（ART_A）のアルバムが７アルバム、演奏者Ｂ（ART_B）のアルバムが２アルバム、演奏者Ｃ（ART_C）及び演奏者Ｄ（ART_D）のアルバムが１アルバム記憶されており、オーディオプレーヤ２００には、図４（ｂ）に示すように、図４（ａ）に示すコンテンツデータの中の演奏者Ａ（ART_A）のアルバム１及びアルバム２が記憶されている。
【００４２】
ここで、ユーザが、オーディオサーバ１００のユーザインターフェイス１１３を介して、オーディオプレーヤ２００のアップデートの指示を行うと、オーディオサーバ１００は、ファイル情報取得部１１４において、オーディオプレーヤ２００のそれぞれのアルバムのコンテンツデータのファイル情報を取得する。オーディオプレーヤ２００に記憶されているアルバム１及びアルバム２のそれぞれのコンテンツデータは、オーディオサーバ１００に記憶されているコンテンツデータと同一であるため、オーディオサーバ１００は、これらアルバム１及びアルバム２のコンテンツデータを削除する指示信号をオーディオプレーヤ２００に送信する。オーディオプレーヤ２００は、当該指示に基づいてアルバム１及びアルバム２のコンテンツデータを削除する。
【００４３】
オーディオサーバ１００は、ファイルフィルタリング部１１６において、優先順位１に設定されている条件に対応するオーディオサーバ１００に記憶された日時の新しいアルバムのコンテンツデータを検索する。ここでは、オーディオサーバ１００に記憶された日時が最も新しいアルバムのコンテンツデータは、図４（ａ）に示す演奏者Ｃ（ART_C）のアルバム１のコンテンツデータである。続いて、オーディオサーバ１００は、このアルバムのコンテンツデータがオーディオプレーヤ２００で直前に削除されたコンテンツデータと同一か否かを判定する。演奏者Ｃ（ART_C）のアルバム１のコンテンツデータは、オーディオプレーヤ２００で直前に削除されたコンテンツデータに記憶されていなかったため、オーディオサーバ１００は、このアルバムのコンテンツデータをオーディオプレーヤ２００に送信し、オーディオプレーヤ２００は、当該コンテンツデータを記憶する。
【００４４】
オーディオプレーヤ２００に空き容量があるため、次に、オーディオサーバ１００は、優先順位２に設定されているオーディオプレーヤ２００で直前に削除されたコンテンツデータのアルバムと同じ演奏者で、かつ、異なるアルバムのコンテンツデータを検索する。オーディオサーバ１００には、演奏者Ａ（ART_A）のアルバムが７アルバム存在し、先程までアルバム１とアルバム２のコンテンツデータがオーディオプレーヤ２００に記憶されていたので、これ以外のアルバムのコンテンツデータをオーディオプレーヤ２００に記憶する。オーディオサーバ１００は、オーディオプレーヤ２００で直前に削除したコンテンツデータの演奏者Ａ（ART_A）のアルバム名を元に、オーディオサーバ１００からアルバム３及びアルバム４のコンテンツデータをオーディオプレーヤ２００に送信し、オーディオプレーヤ２００に記憶する。
【００４５】
更に、オーディオサーバ１００は、オーディオプレーヤ２００に空き容量があるため、優先順位３に設定されている条件であるオーディオプレーヤ２００で直前に削除されたコンテンツデータと異なる演奏者で、且つ、同じジャンルのアルバムのコンテンツデータを検索する。ここでは、演奏者Ａ（ART_A）以外で同じジャンルのアルバムは、演奏者Ｂ（ART_B）のアルバム１となる。
【００４６】
オーディオサーバ１００は、当該アルバムのコンテンツデータがオーディオプレーヤ２００で直前に削除されたコンテンツデータか否かを判定する。演奏者Ｂ（ART_B）のアルバム１のコンテンツデータは、オーディオプレーヤ２００で直前に削除されたコンテンツデータでないため、当該アルバムのコンテンツデータをオーディオプレーヤ２００に送信し、オーディオプレーヤ２００は、当該コンテンツデータを記憶する。
【００４７】
ここで、オーディオプレーヤ２００に、演奏者Ｂ（ART_B）のアルバム１のコンテンツデータを全て記憶するのに十分な空き容量が存在する場合は、これらをオーディオプレーヤに記憶するが、十分な空き容量が存在しない場合は、記憶せずに動作を終了する。
【００４８】
オーディオサーバ１００は、オーディオプレーヤ２００から演奏者Ａ（ART_A）のアルバム１及びアルバム２のコンテンツデータを削除し、その後、演奏者Ｃ（ART_C）のアルバム１、演奏者Ａ（ART_A）のアルバム３、アルバム４の順にコンテンツデータを記憶する。オーディオプレーヤ２００には、まだ空き容量が十分にあるため、演奏者Ｂ（ART_B）のアルバム１のコンテンツデータも記憶される。
【００４９】
この段階で、オーディオプレーヤ２００には、４０ＭＢのコンテンツデータが記録され、かつ、設定された優先順位の条件に従ってコンテンツデータを記憶したが、まだ残り容量が２４ＭＢあるため、オーディオサーバ１００は再び優先順位１に設定されているオーディオサーバに記憶された日時の新しいアルバムのコンテンツデータを検索する。ここでは、演奏者Ｄ（ＡＲＴ_D）のアルバム１とする。演奏者Ｄ（ＡＲＴ_D）のアルバム１のコンテンツデータは、オーディオプレーヤ２００に記憶されていないため、当該コンテンツデータをオーディオプレーヤ２００に記憶する。
【００５０】
次に、優先順位２に設定されている条件であるオーディオプレーヤ２００で直前に削除されたアルバムのコンテンツデータと同じ演奏者で、かつ、異なるアルバムのコンテンツデータを検索する。演奏者Ａ（ART_A）のアルバム３、アルバム４のコンテンツデータは新たに記憶されたので、演奏者Ａ（ART_A）のアルバム５のコンテンツデータがオーディオプレーヤ２００に記憶される。この段階でオーディオプレーヤ２００の空き容量がなくなったので、オーディオサーバ１００は動作を終了する。この結果、オーディオプレーヤ２００には、図５に示すようにコンテンツデータが記憶される。
【００５１】
前述した実施形態において、オーディオプレーヤ２００には、アップデート前、演奏者Ａ（ART_A）のアルバム１及びアルバム２のコンテンツデータが記憶されており、アップデート後、演奏者Ａ（ART_A）のアルバム３及びアルバム４のコンテンツデータと演奏者Ｃ（ART_C）のアルバム１のコンテンツデータが記憶されている。更にユーザが同じ優先度の設定でアップデートを行う場合、オーディオサーバ１００が単純にアルバム名の昇順でコンテンツデータの入れ換えを行うと、オーディオプレーヤ２００には、演奏者Ａ（ART_A）のアルバム１及びアルバム２のコンテンツデータと演奏者Ｄ（ART_D）のアルバム１のコンテンツデータが記憶されることになる。これでは、演奏者Ａ（ART_A）のアルバムは、アルバム１、アルバム２、アルバム３、アルバム４しかアップデートの対象にならなくなってしまうため、オーディオサーバ１００に記憶されているコンテンツデータを十分に聞くことができなくなってしまう。
【００５２】
そこで、アップデートを行う場合、オーディオサーバ１００は、アップデート前に記憶されていたアルバム名で昇順の最後のアルバムから検索し、コンテンツデータを入れ換えるようにする。これによって、オーディオプレーヤ２００に、同じアルバムが記憶されることを軽減させることができる。
【００５３】
また、前述した実施形態では、オーディオプレーヤ２００に記憶されていたオーディオサーバ１００と同一のコンテンツデータがあった場合について説明した。オーディオプレーヤ２００に記憶されていたコンテンツデータがオーディオサーバ１００に存在しない場合は、ユーザからアップデートの指示が行われると、オーディオサーバ１００は、オーディオプレーヤ２００のコンテンツデータを削除せずに、空き容量に別のコンテンツデータに記憶するようにしなくてもよい。このことにより、ユーザがいつも聞きたいコンテンツデータはそのままにしておき、更にオーディオプレーヤ２００に空き容量があれば、この空き容量を満たすコンテンツデータをオーディオプレーヤ２００に記憶し、ユーザは別のコンテンツデータも聞くことができるようになる。
【００５４】
また、前述した実施形態では、コンテンツサーバであるオーディオサーバ１００とＵＳＢケーブル３００により接続されたコンテンツプレーヤであるオーディオプレーヤ２００について説明してきたが、これがビデオサーバとビデオプレーヤであっても構わない。
【００５５】
また、コンテンツサーバとコンテンツプレーヤの通信手段としてＵＳＢを例に挙げて説明したが、コンテンツサーバとコンテンツプレーヤとの間でコンテンツデータを送受信できる通信手段であればよい。
【００５６】
以上のように、本実施形態によれば、ユーザがコンテンツサーバ（オーディオサーバ）にあるコンテンツデータをコンテンツプレーヤ（オーディオプレーヤ）に記憶する際、ユーザが特別な設定を行わなくても、コンテンツサーバにあるコンテンツデータを簡単な手順でコンテンツプレーヤに記憶し、コンテンツプレーヤで十分に楽しむことができる。
【００５７】
また、コンテンツサーバ或いはコンテンツプレーヤがユーザのパーソナリティを設定する手段とユーザの視聴履歴を保持する手段を備える必要がない。また、ユーザのパーソナリティと一致しないコンテンツデータ、または、コンテンツデータのファイル情報に含まれるコンテンツデータのキーワードとユーザの視聴履歴から求めたキーワードが一致しないコンテンツデータでもコンテンツプレーヤに記憶することができるため、コンテンツサーバにあるコンテンツデータを十分に楽しむができる。
【図面の簡単な説明】
【００５８】
【図１】本発明のコンテンツシステムの一実施形態の概略構成を示すブロック図。
【図２】本実施形態のオーディオサーバにおける動作を示すフローチャート。
【図３】本実施例にオーディオサーバにおける予め定めた条件（優先順位）の設定画面を示す図。
【図４】本実施形態のオーディオサーバ及びオーディオプレーヤに記憶されコンテンツデータの一例を説明する図。
【図５】本実施形態のオーディオプレーヤにおいてアップデータ後に記憶されているコンテンツデータの一例を説明する図。
【符号の説明】
【００５９】
１００・・・オーディオサーバ、１１０・・・ＨＤ、１１１・・・外部機器インターフェース、１１２・・・制御部、１１３・・・ユーザインターフェース、２００・・・オーディオプレーヤ、２１０・・・記憶部、２１１・外部機器インターフエース、２１２・・・制御部、２１３・・・ユーザインターフェース。
【図１】
2007096397.tif 000003
【図２】
2007096397.tif 000004
【図３】
2007096397.tif 000005
【図４】
2007096397.tif 000006
【図５】
2007096397.tif 000007